(57)【要約】【課題】物品を安定して搬送可能で、計量コンベヤへの乗り継ぎ、計量コンベヤからの乗り継ぎの際に振動が発生し難くすることで計量精度を向上させることのできる計量装置を提供する。【解決手段】物品Ｍを搬送しながら計量する計量コンベヤ１と、搬入コンベヤ２と、排出コンベヤ３と、計量コンベヤ１を搬送方向Ｘに貫通する中央コンベヤ４とを備える。中央コンベヤ４の搬送面４ａが、搬入コンベヤ２から計量コンベヤ１への第１乗り継ぎエリアＳ１、ならびに、計量コンベヤ１から排出コンベヤ３への第２乗り継ぎエリアＳ２において、計量コンベヤ１のベルト１０の搬送面５と同程度の高さに設定されている共に、中央コンベヤ４の搬送面４ａが、計量コンベヤ１による計量エリアＳＭにおいて、計量コンベヤ１のベルト１０の搬送面５よりも下方に退避した高さに設定されていることを特徴とする。【選択図】        図２
2004271195.tif 000002
【特許請求の範囲】
【請求項１】
幅方向に互いに離間した複数本のベルトが重量検出器に負荷され、物品を搬送しながら計量する計量コンベヤと、
搬送面を構成する複数本の第１搬送部材の下流端部が前記複数本のベルトに対し流れ方向に離間した搬入コンベヤと、
搬送面を構成する複数本の第２搬送部材の上流端部が前記複数本のベルトに対し流れ方向に離間した排出コンベヤと、
搬送面を構成する第３搬送部材が前記計量コンベヤの前記複数本のベルトの間に配置されていると共に、前記計量コンベヤを搬送方向に貫通する中央コンベヤとを備え、
前記中央コンベヤの搬送面が、前記搬入コンベヤから前記計量コンベヤへの第１乗り継ぎエリア、ならびに、前記計量コンベヤから前記排出コンベヤへの第２乗り継ぎエリアにおいて、前記計量コンベヤのベルトの搬送面と略同程度の高さに設定されている共に、前記中央コンベヤの搬送面が、前記計量コンベヤによる計量エリアにおいて、前記計量コンベヤのベルトの搬送面よりも下方に退避した高さに設定されていることにより、
前記中央コンベヤの搬送面から前記物品の底面が離れた状態で当該物品の重量が前記中央コンベヤに負荷されず、かつ、前記物品の底面の両側部が前記ベルトに負荷されるように設定されている計量装置。
【請求項２】
請求項１において、
前記計量コンベヤのベルトは平ベルトであり、一方、前記第１、第２および第３搬送部材は前記平ベルトよりも厚い部材によって形成されている計量装置。
【請求項３】
請求項１もしくは２において、
前記中央コンベヤの搬送部材が前記計量エリアにおいて下方に退避した高さにするために前記搬送部材を上方から押さえる押さえ具を更に有し、
該押さえ具は前記搬送部材の上に跨がっていると共に、前記押さえ具が前記重量検出器に負荷されていないフレームに固定されている計量装置。
【請求項４】
請求項１，２もしくは３において、
前記計量コンベヤのベルトは、搬送方向の上流および下流のプーリに無端状に巻回されており、前記上流のプーリの径が、前記下流のプーリの径よりも小さな値に設定されている計量装置。
【請求項５】
請求項４において、
前記下流の一対のプーリは、これらのプーリを貫通すると共に、前記中央コンベヤの搬送部材の下方の空間を貫通する１本の第１軸に支持されており、
一方、前記上流の一対のプーリは、前記中央コンベヤの搬送部材の下方の空間を貫通しない一対の第２軸により、各々、個別に支持されている計量装置。
【発明の詳細な説明】
【０００１】
【発明の属する技術分野】
本発明は物品を搬送しながら物品の重量を計測する計量装置に関するものである。
【０００２】
【従来の技術】
一般に、加工食品などの物品の生産ラインにおいては、物品の検査や選別などのため、物品の計量を行う必要がある。この計量を行う装置として、物品の搬送中に計量を行う装置が知られている（たとえば、特許文献１、２参照）。
【０００３】
【特許文献１】
特許第３１６８４９４号  （第２−４頁、第９−１０図）
【特許文献２】
特公平８−１８０１１号  （第２−３頁、第２図）
【０００４】
特許文献１の計量装置では、図６（ａ）に示すように、搬入コンベヤ８０における搬送部材８１の下流端部８１ａと、計量コンベヤ９０における搬送部材９１の上流端部９１ａとが、同一高さで幅方向に互いにオーバーラップしている。これにより、商品Ｍが前記搬入コンベヤ８０から前記計量コンベヤ９０へ乗り継ぐ際の振動やショックを軽減している。
【０００５】
【発明が解決しようとする課題】
しかし、ベルト等の前記搬送部材８１、９１を幅方向に互いに位置をずらす必要があるので、乗り継ぎの前後において物品Ｍを支持する部位が変わる。そのため、図６（ｂ）に示すように、底面が下方に膨らんだ紙パック入りの物品Ｍを搬送すると、乗り継ぎの前後において、高さ方向にΔの変位が生じる。これが振動の要因となって、物品Ｍの姿勢が不安定になり、計量精度の低下を招く原因となる。
特に、牛乳パックのように、重量がある上に、高さ方向に細長く、かつ、底面の小さな物品では、乗り継ぎの際に姿勢が不安定になり易い。
【０００６】
一方、特許文献２の計量装置では、このような乗り継ぎの問題に関しては何ら解決し得ない。
【０００７】
したがって、本発明の目的は、物品を安定して搬送でき、計量コンベヤへの乗り継ぎ、計量コンベヤからの乗り継ぎの際に振動が発生し難くすることで計量精度を向上させることのできる計量装置を提供することである。
【０００８】
【課題を解決するための手段】
前記目的を達成するために、本発明の計量装置は、幅方向に互いに離間した複数本のベルトが重量検出器に負荷され、物品を搬送しながら計量する計量コンベヤと、搬送面を構成する複数本の第１搬送部材の下流端部が前記複数本のベルトに対し流れ方向に離間した搬入コンベヤと、搬送面を構成する複数本の第２搬送部材の上流端部が前記複数本のベルトに対し流れ方向に離間した排出コンベヤと、搬送面を構成する第３搬送部材が前記計量コンベヤの前記複数本のベルトの間に配置されていると共に、前記計量コンベヤを搬送方向に貫通する中央コンベヤとを備え、前記中央コンベヤの搬送面が、前記搬入コンベヤから前記計量コンベヤへの第１乗り継ぎエリア、ならびに、前記計量コンベヤから前記排出コンベヤへの第２乗り継ぎエリアにおいて、前記計量コンベヤのベルトの搬送面と略同程度の高さに設定されている共に、前記中央コンベヤの搬送面が、前記計量コンベヤによる計量エリアにおいて、前記計量コンベヤのベルトの搬送面よりも下方に退避した高さに設定されていることにより、前記中央コンベヤの搬送面から前記物品の底面が離れた状態で当該物品の重量が前記中央コンベヤに負荷されず、かつ、前記物品の底面の両側部が前記ベルトに負荷されるように設定されていることを特徴とする。
【０００９】
本発明によれば、乗り継ぎ部分において同程度の高さに設定された中央コンベヤにより、乗り継ぎ部分を搬送するから、計量コンベヤへの乗り継ぎ、計量コンベヤからの乗り継ぎがスムースになり、物品に振動が発生し難いので、正確な計量が可能となる。
また、搬入・排出コンベヤの搬送部材だけでなく計量コンベヤのベルトも物品の両側部を支持して物品を搬送するので、つまり、計量前後および計量時の物品の支持部位が変わらず物品を安定して支持できるから、搬送中の物品の姿勢が安定する。その結果、計量精度が向上する。
【００１０】
本発明の計量装置において、前記計量コンベヤのベルトは平ベルトで構成し、一方、前記第１、第２および第３搬送部材は前記平ベルトよりも厚い部材によって形成するのが好ましい。このように形成すれば、搬入・排出および中央コンベヤの搬送部材は厚いから耐久性が高くなり、一方、計量コンベヤの平ベルトは薄いから走行安定性が高くなるので、計量精度が更に向上する。
【００１１】
本発明の計量装置は、前記中央コンベヤの搬送部材が前記計量エリアにおいて下方に退避した高さにするために前記搬送部材を上方から押さえる押さえ具を更に有し、該押さえ具は前記搬送部材の上に跨がっていると共に、前記押さえ具が前記重量検出器に負荷されていないフレームに固定されていることが好ましい。中央コンベヤの搬送部材を上方から押さえ具で押さえることにより、物品が中央コンベヤの搬送部材に接触しない状態を確実に維持することができる。
【００１２】
本発明の計量装置において、前記計量コンベヤのベルトは、搬送方向の上流および下流のプーリに無端状に巻回されており、前記上流のプーリの径を、前記下流のプーリの径よりも小さな値に設定するのが好ましい。かかる構成によれば、計量コンベヤの上流のプーリが小さいので、上流の搬入コンベヤと計量コンベヤとの間に設ける渡し板が短くなるので、渡し板の表面と物品の底面との間で生じる摩擦の作用する距離（時間）が短くなり、搬送力が伝わり易いから、スピードの変化が小さくなる。そのため、計量誤差が生じにくくなる。
【００１３】
本発明の計量装置では、前記下流の一対のプーリは、これらのプーリを貫通すると共に、前記中央コンベヤの搬送部材の下方の空間を貫通する１本の第１軸に支持されており、一方、前記上流の一対のプーリは、前記中央コンベヤの搬送部材の下方の空間を貫通しない一対の第２軸により、各々、個別に支持されているのが好ましい。このようにすれば、第２軸は中央コンベヤの搬送部材の下方を通っていないので、第２軸の軸芯の位置を極力上方に配置することが可能となり、前記上流のプーリを可及的に小さくすることができる。そのため、前記渡し板を極力短くすることができ、計量精度の向上を図り得る。
【００１４】
【発明の実施の形態】
以下、本発明の一実施形態を図面にしたがって説明する。
以下の説明では、計量装置を牛乳パックのような物品の検査ラインに適用した場合について説明する。
全体構成：
図１は検査ラインのレイアウトを図示しており、この図において、計量コンベヤ１の上流側には物品Ｍを送り込むための搬入コンベヤ２が配置され、一方、計量コンベヤ１の下流側には計量の終了した物品Ｍを後段のラインへ搬送するための排出コンベヤ３が配置されている。前記計量コンベヤ１および前記搬入・排出コンベヤ２、３の搬送面５上を物品Ｍは搬送される。搬入コンベヤ２の途中には、金属検査機６および印字検査カメラ８が設置されている。一方、前記計量コンベヤ１の下流の前記排出コンベヤ３の途中には、不合格品をラインアウトさせるための振分装置９が設けられている。
【００１５】
物品Ｍは、搬入コンベヤ２上を搬送されながら、前記金属検査機６および印字検査カメラ８による検査を受けた後、計量コンベヤ１に送られ、計量コンベヤ１により搬送されながら計量される。その後、前記排出コンベヤ３に搬送され、前記検査または計量において不合格と判定された物品Ｍは、前記振分装置９によりラインアウトされ、一方、合格品はさらに下流に搬送される。
【００１６】
計量コンベヤ１：
前記計量コンベヤ１は、図２に示すように、幅方向Ｙに互いに離間した一対のベルト１０を有している。図３に示すように、前記ベルト１０は、搬送方向Ｘの上流および下流に設けられた一対のプーリ１２、１４に無端状に巻回されており、搬送面５の一部を構成する。前記上流のプーリ１２の径は、前記下流のプーリ１４の径よりも小さな値に設定されている。
なお、前記下流のプーリ１４には、伝動部材Ｗを介して前記計量コンベヤ１の駆動機構１８が接続されている。
【００１７】
前記計量コンベヤ１は、図示しないコンベヤフレームを介して重量検出器１９の入力端に固定されていることで、重量検出器１９に負荷されている。そのため、前記計量コンベヤ１上を搬送される物品Ｍの重量が、前記重量検出器１９に負荷されることで物品Ｍの搬送中に物品Ｍの計量を行うことができる。
【００１８】
搬入コンベヤ２：
図２に示すように、前記搬入コンベヤ２は、その搬送面５の一部を構成する一対の第１搬送部材２０を有している。図１に示すように、前記第１搬送部材２０は、複数のプーリ２２に無端状に巻回されている。図３に示す前記第１搬送部材２０の下流端部２０ａは、前記計量コンベヤ１のベルト１０に対し流れ方向（搬送方向）Ｘに離間している。前記搬入コンベヤ２の第１搬送部材２０と前記計量コンベヤ１のベルト１０との間には第１渡し板２５が設けられている。前記第１渡し板２５の表面は、前記第１搬送部材２０および前記ベルト１０の搬送面５と略同程度の高さに設定されており、前記搬入コンベヤ２から前記計量コンベヤ１への乗り継ぎ部分において物品Ｍの両側部を支持できるように設けられている。
【００１９】
排出コンベヤ３：
一方、前記排出コンベヤ３は、その搬送面５の一部を構成する一対の第２搬送部材３０を有している。図１に示すように、前記第２搬送部材３０は、複数のプーリ３２に無端状に巻回されている。図３に示す前記第２搬送部材３０の上流端部３０ａは、前記計量コンベヤ１のベルト１０に対し流れ方向（搬送方向）Ｘに離間している。前記排出コンベヤ３の第２搬送部材３０と前記計量コンベヤ１のベルト１０との間には第２渡し板３５が設けられている。前記第２渡し板３５は、前記第２搬送部材３０および前記ベルト１０の搬送面５と略同程度の高さに設定されており、前記計量コンベヤ１から前記排出コンベヤ３への乗り継ぎ部分において物品Ｍの両側部を支持できるように設けられている。
【００２０】
中央コンベヤ４：
図１に実線で示すように、検査ラインの全長にわたる中央コンベヤ４が設けられている。この中央コンベヤ４は、図２に示すように、前記各コンベヤ１、２、３の一対のベルト１０および搬送部材２０、３０の間に設けられた第３搬送部材４０を有している。すなわち、中央コンベヤ４は、前記計量コンベヤ１を搬送方向Ｘに貫通し、搬入コンベヤ２から排出コンベヤ３まで搬送方向Ｘに連なっている。なお、前記第３搬送部材４０は中央コンベヤ４における搬送面４ａを構成する。図１に示すように、前記第３搬送部材４０は、複数のプーリ４２に無端状に巻回されている。
【００２１】
図２の前記計量コンベヤ１のベルト１０は平ベルトであり、一方、前記第１、第２および第３搬送部材２０、３０、４０は前記平ベルトよりも厚い部材によって形成されている。なお、前記搬送部材２０、３０、４０としては、たとえば、連結ピンと、このピンに嵌合する孔とを有する樹脂製の要素を複数連結した、いわゆるプラスチックトップチェーンを採用することができる。計量コンベヤを除く各コンベヤの搬送部材は厚いから耐久性が高くなり、一方、計量コンベヤの平ベルトは薄いから走行安定性が高くなるので、計量誤差が小さくなる。
【００２２】
搬送部材の位置関係：
図４に示すように、前記計量コンベヤ１のベルト１０、第１および第２搬送部材２０、３０の各々の内側の辺１０ｂ、２０ｂ、３０ｂは、搬送方向Ｘに沿って、概ね一直線状になるように設定されている。前記中央コンベヤ４の第３搬送部材４０は、前記ベルト１０、第１および第２搬送部材２０、３０に略平行となるように設けられている。
【００２３】
前記搬入コンベヤ２から前記計量コンベヤ１への第１乗り継ぎエリアＳ１、ならびに、前記計量コンベヤ１から前記排出コンベヤ３への第２乗り継ぎエリアＳ２において、前記中央コンベヤ４の搬送面４ａは、図５（ａ）および図５（ｃ）に示すように、前記計量コンベヤ１のベルト１０の搬送面５と略同程度の高さに設定されている。
【００２４】
一方、図４に示す前記計量コンベヤ１による計量エリアＳＭにおいて、前記中央コンベヤ４の搬送面４ａは、図５（ｂ）に示すように、前記計量コンベヤ１のベルト１０の搬送面５よりも下方に退避した高さに設定されている。つまり、前記中央コンベヤ４の搬送面４ａから前記物品Ｍの底面ＭＢ  が離れた状態で当該物品Ｍの重量が前記中央コンベヤ４に負荷されず、かつ、前記物品Ｍの底面ＭＢ  の中央を除く両側部が前記ベルト１０に負荷されるように設定されている。
【００２５】
前記搬送面４ａの高さの設定は、前記第３搬送部材４０を上方から押さえる押さえ具４５により行われている。該押さえ具４５は、前記第３搬送部材４０の上に跨がるように略コ字状に形成されていると共に、前記重量検出器１９（図３）に負荷されていないフレーム（図示せず）に固定されている。このように、前記押さえ具４５で物理的に高さを規制することにより、物品Ｍが第３搬送部材４０に接触しない状態を確実に維持することができる。
【００２６】
前記第１および第２乗り継ぎエリアＳ１、Ｓ２、ならびに、前記計量エリアＳＭを除く他の搬送エリアＳＴにおいては、前記中央コンベヤ４の搬送面４ａは、図５（ａ）、（ｃ）に示すように、前記第１および第２搬送部材２０、３０の搬送面５と略同程度の高さに設定されており、前記第１および第２搬送部材２０、３０と共に搬送面５を構成している。
【００２７】
搬送状態：
物品Ｍは、前記上流側の搬送エリアＳＴにおいて、前記第１および第３搬送部材２０、４０により、図５（ａ）に示すように、底面ＭＢ  の両側部および中央を支持されながら搬送される。
続いて、物品Ｍは、前記第１乗り継ぎエリアＳ１において、前記第３搬送部材４０により底面ＭＢ  の主に中央を支持されながら、かつ、第１渡し板２５の表面で底面ＭＢ  の両側部を支持されながら搬送され、前記計量コンベヤ１に乗り移る。この際、前記第１渡し板２５により物品Ｍの底面ＭＢ  の両側部が支持されながら搬送されるので、物品Ｍの姿勢が不安定になることはなく、搬入コンベヤ２から計量コンベヤ１への乗り継ぎがスムースに行われる。
【００２８】
図２および図３に示すように、前記計量エリアＳＭにおいて、前記第３搬送部材４０は上流から下流に移動するに従って前記計量コンベヤ１の搬送面５から下方に徐々に離れると共に、前記押さえ具４５を概ね境にして、上昇に転じ、前記第２乗り継ぎエリアＳ２に至るまでに、前記計量コンベヤ１と略同程度の高さまで徐々に上昇する。したがって、図５（ｂ）に示すように、前記計量エリアＳＭにおいては、物品Ｍの底面ＭＢ  の中央は前記中央コンベヤ４の搬送面４ａから離れて、底面ＭＢ  の両側部だけが前記ベルト１０により支持されて搬送される。物品Ｍは、前記ベルト１０により計量コンベヤ１上を搬送される間に、前記重量検出器１９（図３）により計量される。
【００２９】
続いて、物品Ｍは、前記第２乗り継ぎエリアＳ２において、前記第３搬送部材４０により底面ＭＢ  の主に中央を支持されながら、かつ、第２渡し板３５の表面で底面ＭＢ  の両側部を支持されながら搬送され、前記排出コンベヤ３に乗り移る。この際、前記第２渡し板３５により物品Ｍの底面ＭＢ  の両側部が支持されながら搬送されるので、前記第１乗り継ぎエリアＳ１と同様に、計量コンベヤ１から排出コンベヤ３への乗り継ぎがスムースに行われる。
その後、図５（ｃ）に示すように、物品Ｍは、前記下流側の搬送エリアＳＴにおいて、前記第２および第３搬送部材３０、４０により、底面ＭＢ  の両側部および中央を支持されながら搬送される。
【００３０】
ところで、図４に示すように、前記計量コンベヤ１のベルト１０が巻回されている下流の一対のプーリ１４は、これらのプーリ１４を貫通すると共に、前記中央コンベヤ４の第３搬送部材４０の下方の空間を貫通する１本の第１軸１４ａに支持されている。一方、前記上流の一対のプーリ１２は、前記中央コンベヤ４の第３搬送部材４０の下方の空間を貫通しない一対の第２軸１２ａにより、各々、個別に支持されている。前記第２軸１２ａは、前記第３搬送部材４０の下方の空間を貫通していないので、当該第２軸１２ａの軸心の位置を極力上方に配置することができる。そのため、前記上流のプーリ１２を可及的に小さくすることができるから、前記搬入コンベヤ２と前記計量コンベヤ１との隙間が小さくなる。したがって、前記第１渡し板２５を極力短くすることができるから、物品Ｍの搬送速度が減速されにくいので、計量誤差が小さくなる。
【００３１】
また、前述の実施形態において、第１、第２および第３搬送部材２０、３０、４０を構成するプラスチックトップチェーンは、チェーン自体を構成する全ての部品が樹脂で形成されている。このように、金属製の部品を含まない部材で前記各搬送部材２０、３０、４０を構成したから、図１の金属検査機６での誤検出が生じにくい。
【００３２】
さらに、１本の無端状中央コンベヤ４により物品Ｍを搬送することで、各コンベヤ間の乗り継ぎ部分での物品Ｍの揺れが減少するので、金属検出、印字、印字検査や計量を安定して行うことができる。また、各検査部の間隔がコンパクトになるため、計量装置全体の機長が短縮できる。また、コンベヤの駆動部を削減することができるので、構造が簡素化できると共に、コストダウンが図れる。しかも、種々の消耗品等の故障部位の数を減らすことができる。
【００３３】
以上のとおり、図面を参照しながら好適な実施形態を説明したが、当業者であれば、本明細書を見て、自明な範囲で種々の変更および修正を容易に想定するであろう。
たとえば、前記中央コンベヤは必ずしも検査ラインの全長にわたって設ける必要はない。
また、前記渡し板に代えて、複数本のフリーローラなどの渡し部材を設けてもよい。
また、前記第１および第２搬送部材、ベルトは３本以上であってもよい。また、前記第３搬送部材は２本以上でもよい。この場合、前記渡し板は不要となることもある。
また、計量エリアにおいて中央コンベヤを下方に退避させる方法としては、押さえ具を用いる方法に限られず、吸引・吹付などの空気圧を利用する方法、磁力を利用する方法など種々の方法を採用することができる。
また、搬送の対象物は紙パック入りの液体に限られない。
また、搬送エリアＳＴにおいては、物品の形状や特性に応じて、前記中央コンベヤ４の搬送面４ａを前記第１および第２搬送部材２０、３０の搬送面５よりも若干下方の高さに設定するようにしてもよい。
したがって、そのような変更および修正は、請求の範囲から定まる本発明の範囲内のものと解釈される。
【００３４】
【発明の効果】
以上説明したように、本発明によれば、計量コンベヤ、搬入・排出コンベヤは、物品の中央を除く両サイドを支持して搬送するので、物品を安定して搬送することができる。
また、各コンベヤと計量コンベヤとの間の乗り継ぎ部分で、中央コンベヤの無端状の搬送部材により物品の搬送を行うから、物品に振動が発生しにくいので、正確な計量が可能となる。
【図面の簡単な説明】
【図１】本発明の一実施形態にかかる検査ラインのレイアウトを示す概略側面図である。
【図２】計量コンベヤ周辺の要部を示す概略斜視図である。
【図３】同要部を示す概略側面図である。
【図４】同要部を示す概略平面図である。
【図５】図４におけるＶａ  −Ｖａ  断面、Ｖｂ  −Ｖｂ  断面、Ｖｃ  −Ｖｃ  断面をそれぞれ示す断面図である。
【図６】従来の計量装置の要部を示す平面図および断面図である。
【符号の説明】
１：計量コンベヤ
２：搬入コンベヤ
３：排出コンベヤ
４：中央コンベヤ
４ａ：中央コンベヤの搬送面
５：搬送面
１０：ベルト
２０：第１搬送部材
３０：第２搬送部材
４０：第３搬送部材
１２、１４：プーリ
１４ａ：第１軸
１２ａ：第２軸
１９：重量検出器
４５：押さえ具
Ｍ：物品
ＭＢ  ：底面
Ｓ１：第１乗り継ぎエリア
Ｓ２：第２乗り継ぎエリア
ＳＭ：計量エリア
【図１】
2004271195.tif 000003
【図２】
2004271195.tif 000004
【図３】
2004271195.tif 000005
【図４】
2004271195.tif 000006
【図５】
2004271195.tif 000007
【図６】
2004271195.tif 000008